(57)【要約】【課題】  看者に新趣向感覚を強く印象づけることが可能で、かつ、端午の節句以外の他のイベントでも違和感なく使用することが可能な幟を提供する。【解決手段】  幟１は、内部に空洞を有する幟本体２と、幟本体２の前端部に設けられて、空気を吸入する口輪３と、口輪３に連結された口紐４と、を備えている。そして、幟１においては、幟本体２の全部が、空気を吸入して膨らんだ際に立体的なクマのキャラクタの形状となるように形成されている。【選択図】  図１
0003195934.tif 000002
【実用新案登録請求の範囲】
【請求項１】
内部に空洞を有する幟本体と、前記幟本体の前端部に設けられて、空気を吸入する口輪と、前記口輪に連結された口紐と、を備えた幟であって、
前記幟本体の少なくとも一部が、空気を吸入して膨らんだ際に立体的なキャラクタの形状となるように形成されていることを特徴とする幟。
【請求項２】
前記キャラクタの部分が、部位別の型紙に合わせて裁断された複数の生地を接合することによって形成されている、請求項１に記載の幟。
【請求項３】
前記幟本体がリップストップ生地からなる、請求項１又は２に記載の幟。
【考案の詳細な説明】
【技術分野】
【０００１】
本考案は、端午の節句等において幟竿等に取り付けて上げる幟に関する。
【背景技術】
【０００２】
地方では、端午の節句が近づくと、鯉のぼりの大きな鯉（鯉のぼり本体）がたなびいている光景を見ることができるが、近年、都会ではあまり見られなくなってしまった。これは、既存の鯉のぼりでは看者に見飽きた印象を与えるからであると考えられる。
【０００３】
そこで、従来、上記事情を背景として、看者に新趣向感覚を印象づけることが可能な鯉のぼりが提案されている。例えば、鯉のぼり本体の胴部に表現されるうろこ模様部の一部に、例えば、プロ野球球団チームのマスコットキャラクタを描いた鯉のぼりが提案されている（特許文献１）。
【先行技術文献】
【特許文献】
【０００４】
【特許文献１】実用新案登録第３１００５９５号公報
【考案の概要】
【考案が解決しようとする課題】
【０００５】
しかし、上記従来の鯉のぼりにおけるキャラクタは、鯉のぼり本体の胴部に平面的に描かれているため、看者に新趣向感覚を強く印象づけるには不十分であった。加えて、上記従来の鯉のぼりは、端午の節句の時期以外にはほとんど使い道がなく、子供が大きくなると、全く使用されなくなり、汎用性に欠けるものであった。
【０００６】
本考案は、従来技術における前記課題を解決するためになされたものであり、看者に新趣向感覚を強く印象づけることが可能で、かつ、端午の節句以外の他のイベントでも違和感なく使用することが可能な幟を提供することを目的とする。
【課題を解決するための手段】
【０００７】
前記目的を達成するため、本考案に係る幟の構成は、
（１）内部に空洞を有する幟本体と、前記幟本体の前端部に設けられて、空気を吸入する口輪と、前記口輪に連結された口紐と、を備えた幟であって、
前記幟本体の少なくとも一部が、空気を吸入して膨らんだ際に立体的なキャラクタの形状となるように形成されていることを特徴とする。
【０００８】
本考案の幟の上記（１）の構成によれば、立体的なキャラクタの形状によって看者に新趣向感覚を強く印象づけることが可能な幟を提供することができる。また、立体的なキャラクタの形状を伴うことにより、端午の節句以外の他のイベントでも違和感なく使用することが可能な幟を提供することができる。このように、本考案の幟は、様々なイベントで使用することができ、汎用性に富んだものとなっている。
【０００９】
本考案の幟の上記（１）の構成においては、以下の（２）、（３）のような構成にすることが好ましい。
【００１０】
（２）前記キャラクタの部分が、部位別の型紙に合わせて裁断された複数の生地を接合することによって形成されている。
【００１１】
上記（２）の好ましい構成によれば、空気を吸入して膨らんだ際にキャラクタの部分の顔、胴、腕、脚等に立体感が出るようにして、当該キャラクタの部分を際立たせることができる。その結果、看者に新趣向感覚を強く印象づけることが可能な幟を提供することができる。
【００１２】
（３）前記幟本体がリップストップ（rip-stop）生地からなる。
【００１３】
上記（３）の好ましい構成によれば、強風が吹いても破れたりすることのない幟を提供することが可能となる。
【考案の効果】
【００１４】
本考案によれば、看者に新趣向感覚を強く印象づけることが可能で、かつ、端午の節句以外の他のイベントでも違和感なく使用することが可能な幟を提供することができる。
【図面の簡単な説明】
【００１５】
【図１】本考案の第１の実施の形態における幟の構成を示す側面図
【図２】本考案の第２の実施の形態における幟の構成を示す側面図
【図３】本考案の第２の実施の形態における幟の他の構成を示す側面図
【図４】本考案の第２の実施の形態における幟のさらなる他の構成を示す側面図
【考案を実施するための形態】
【００１６】
以下、好適な実施の形態を用いて本考案をさらに具体的に説明する。但し、下記の実施の形態は本考案を具現化した例に過ぎず、本考案はこれに限定されるものではない。
【００１７】
［第１の実施の形態］
まず、本考案の第１の実施の形態における幟の構成について、図１を参照しながら説明する。
【００１８】
図１は、本考案の第１の実施の形態における幟の構成を示す側面図である。
【００１９】
図１に示すように、本実施の形態の幟１は、内部に空洞を有する幟本体２と、幟本体２の前端部に設けられて、空気を吸入する口輪３と、口輪３に連結された口紐４と、を備えている。そして、本実施の形態の幟１においては、幟本体２の全部が、空気を吸入して膨らんだ際に立体的なクマのキャラクタの形状となるように形成されている。
幟１は、幟竿５に張ったロープ６に口紐４の先端を固定することによって上げられる。当該幟１は、単体で上げてもよく、通常の鯉のぼり等と一緒に上げてもよい。また、当該幟１は、端午の節句に上げてもよく、端午の節句とは無関係な日（端午の節句以外の他の特別なイベントの日など）に上げてもよい。
【００２０】
本実施の形態の幟１の構成によれば、立体的なクマのキャラクタの形状によって看者に新趣向感覚を強く印象づけることが可能な幟を提供することができる。また、立体的なクマのキャラクタの形状を伴うことにより、端午の節句以外の他のイベントでも違和感なく使用することが可能な幟を提供することができる。このように、本実施の形態の幟１は、様々なイベントで使用することができ、汎用性に富んだものとなっている。
【００２１】
幟本体２（クマのキャラクタの部分）は、部位別の型紙に合わせて裁断された複数の生地を接合することによって形成されていることが好ましい。この好ましい構成によれば、空気を吸入して膨らんだ際にクマのキャラクタの部分の顔、胴、腕、脚等に立体感が出るようにして、当該クマのキャラクタの部分を際立たせることができる。その結果、看者に新趣向感覚を強く印象づけることが可能な幟を提供することができる。
【００２２】
本実施の形態の幟１においては、幟本体２がリップストップ生地からなることが好ましい。この好ましい構成によれば、強風が吹いても破れたりすることのない幟を提供することが可能となる。リップストップ生地としては、例えば、リップストップナイロン生地やリップストップポリエステル生地等を用いることができる。
【００２３】
通常の鯉のぼりには、口輪から吸入された空気を排出する排出口が設けられているが、本実施の形態の幟１においては、必ずしも排出口を設ける必要はない。空気を排出させないことにより、幟本体２（クマのキャラクタの部分）に空気を充満させて、クマのキャラクタの形状をくっきりさせることができる。
【００２４】
尚、本実施の形態においては、幟本体２がリップストップ生地からなる場合を例に挙げて説明したが、本考案は必ずしもこのような構成に限定されるものではない。幟本体は、例えば、タフタ生地、ツイル生地等からなっていてもよい。
【００２５】
また、本実施の形態においては、幟本体２が、空気を吸入して膨らんだ際に立体的なクマのキャラクタの形状となるように形成されている場合を例に挙げて説明したが、本考案は必ずしもこのような構成に限定されるものではない。幟本体は、クマのキャラクタ以外の他のキャラクタの形状となるように形成されていてもよい。
【００２６】
［第２の実施の形態］
次に、本考案の第２の実施の形態における幟の構成について、図２を参照しながら説明する。
【００２７】
図２は、本考案の第２の実施の形態における幟の構成を示す側面図である。
【００２８】
図２に示すように、本実施の形態の幟７は、内部に空洞を有する幟本体８と、幟本体８の前端部に設けられて、空気を吸入する口輪９と、口輪９に連結された口紐１０と、を備えている。そして、本実施の形態の幟７においては、幟本体８の前部が、空気を吸入して膨らんだ際に立体的なクマのキャラクタの形状となるように形成されている。また、幟本体８の残りの部分（中部、後部）は、通常の鯉のぼりと同じ形状に形成されている。
幟７は、幟竿５に張ったロープ６に口紐１０の先端を固定することによって上げられる。当該幟７は、単体で上げてもよく、通常の鯉のぼり等と一緒に上げてもよい。また、当該幟７は、端午の節句に上げてもよく、端午の節句とは無関係な日（端午の節句以外の他の特別なイベントの日など）に上げてもよい。
【００２９】
本実施の形態の幟７の構成によれば、立体的なクマのキャラクタの形状によって看者に新趣向感覚を強く印象づけることが可能な幟を提供することができる。また、立体的なクマのキャラクタの形状を伴うことにより、端午の節句以外の他のイベントでも違和感なく使用することが可能な幟を提供することができる。このように、本実施の形態の幟７は、様々なイベントで使用することができ、汎用性に富んだものとなっている。
【００３０】
幟本体８の前部（クマのキャラクタの部分）は、部位別の型紙に合わせて裁断された複数の生地を接合することによって形成されていることが好ましい。この好ましい構成によれば、空気を吸入して膨らんだ際にクマのキャラクタの部分の顔、胴、腕等に立体感が出るようにして、当該クマのキャラクタの部分を際立たせることができる。その結果、看者に新趣向感覚を強く印象づけることが可能な幟を提供することができる。
【００３１】
本実施の形態の幟７においては、幟本体８がリップストップ生地からなることが好ましい。この好ましい構成によれば、強風が吹いても破れたりすることのない幟を提供することが可能となる。リップストップ生地としては、例えば、リップストップナイロン生地やリップストップポリエステル生地等を用いることができる。
【００３２】
通常の鯉のぼりには、口輪から吸入された空気を排出する排出口が設けられているが、本実施の形態の幟７においては、必ずしも排出口を設ける必要はない。空気を排出させないことにより、幟本体８の前部（クマのキャラクタの部分）に空気を充満させて、クマのキャラクタの形状をくっきりさせることができる。
【００３３】
尚、本実施の形態においては、幟本体８がリップストップ生地からなる場合を例に挙げて説明したが、本考案は必ずしもこのような構成に限定されるものではない。幟本体は、例えば、タフタ生地、ツイル生地等からなっていてもよい。
【００３４】
また、本実施の形態においては、幟本体８の前部が、空気を吸入して膨らんだ際に立体的なクマのキャラクタの形状となるように形成されている場合を例に挙げて説明したが、本考案は必ずしもこのような構成に限定されるものではない。幟本体の前部は、クマのキャラクタ以外の他のキャラクタの形状となるように形成されていてもよい。
【００３５】
また、図３、図４に示すように、幟本体１１は、空気を吸入して膨らんだ際に、通常の鯉のぼり１２の形状と立体的なクマ等のキャラクタ１３の形状とが合体した形状となるように形成されていてもよい。図３、図４は、クマ等のキャラクタ１３が鯉のぼり１２にしがみついた状態を示している。尚、図３、図４中、参照符号１４は口輪を示しており、参照符号１５は口紐を示している。この場合においても、クマ等のキャラクタ１３の部分は、部位別の型紙に合わせて裁断された複数の生地を接合することによって形成されていることが好ましい。
【産業上の利用可能性】
【００３６】
本考案によれば、看者に新趣向感覚を強く印象づけることが可能で、かつ、端午の節句以外の他のイベントでも違和感なく使用することが可能な幟を提供することができる。従って、本考案の幟は、様々なイベントで使用することができ、汎用性に富んだものである点で有用である。
【符号の説明】
【００３７】
１、７  幟
２、８、１１  幟本体
３、９、１４  口輪
４、１０、１５  口紐
５  幟竿
６  ロープ
１２  通常の鯉のぼり
１３  クマ等のキャラクタ
【図１】
0003195934.tif 000003
【図２】
0003195934.tif 000004
【図３】
0003195934.tif 000005
【図４】
0003195934.tif 000006